(57)【要約】      （修正有）【課題】釣り場の外的要因の如何を問わず、使い勝手を改良するとともに、腐敗による悪臭の放出を抑制する釣り用の撒き餌を提供する。【解決手段】撒き餌１は、所定の直径Ｄ１（例えば、Ｄ１＝２〜５ｃｍ）を有する球に近似する立体形状を呈している。これにより、ブロック状の撒き餌の表面部から適量を削り取る作業が不要となり、釣り場の気温が低いときでも、撒き餌１の使い勝手を改良できる。また、球の表面積はそれ以外の任意の立体の表面積より小さいので、釣り場の気温が高いときでも、撒き餌１の表面部が大気に触れて腐敗して悪臭を放出する事態の発生を抑制できる。【選択図】図１
0003177330.tif 000002
【実用新案登録請求の範囲】
【請求項１】
集魚用の餌を冷凍し、撒き餌かごに収容して使用する撒き餌であって、
所定の直径を有する球に近似する立体形状を呈していることを特徴とする撒き餌。
【請求項２】
前記撒き餌かごは、円筒形のかご本体を有し、
前記立体形状は、前記かご本体の開口部の直径にほぼ一致する直径を有する球であることを特徴とする請求項１に記載の撒き餌。
【請求項３】
前記立体形状は、直径２〜５ｃｍの球であることを特徴とする請求項１または２に記載の撒き餌。
【請求項４】
前記餌は、オキアミまたはイワシミンチであることを特徴とする請求項１乃至３のいずれかに記載の撒き餌。
【請求項５】
容器と、この容器の上側に着脱自在に嵌着される蓋とから構成され、
前記容器は、餌を貯留可能な容器本体と、この容器本体から下向きに凹むように形成された半球形の下半球部とを備え、
前記蓋は、蓋本体と、この蓋本体から上向きに凹むように形成された半球形の上半球部とを備え、
前記容器本体に餌が貯留されて前記容器に前記蓋が嵌着されることにより、前記下半球部および前記上半球部によって包囲される球形の空間に前記餌が充填された状態で、当該餌が冷凍されて撒き餌が製造されるように構成されていることを特徴とする撒き餌の製造器。
【請求項６】
前記上半球部の頂部近傍には、当該上半球部の内外を連通する通気孔が形成されていることを特徴とする請求項５に記載の撒き餌の製造器。
【請求項７】
前記容器の下部に嵌合部が設けられるとともに、前記蓋の上部に被嵌合部が設けられ、
前記嵌合部が前記被嵌合部に嵌合することにより、前記蓋の上側に前記容器が水平に支持されるように構成されていることを特徴とする請求項５または６に記載の撒き餌の製造器。
【考案の詳細な説明】
【技術分野】
【０００１】
本考案は、釣り用の撒き餌（こませ）と、この撒き餌の製造器とに関するものである。
【背景技術】
【０００２】
海釣り等の釣りをする際には、集魚の効率を高めるため、撒き餌を使用することが多い。従来、この撒き餌としては、オキアミ（アミコマセ）やイワシミンチなどの餌を海水とともにブロック（直方体）状に冷凍したものが用いられていた（例えば、特許文献１参照）。
【先行技術文献】
【特許文献】
【０００３】
【特許文献１】特許第４８７６０２１号公報（段落〔０００２〕の欄）
【考案の概要】
【考案が解決しようとする課題】
【０００４】
しかし、これでは、釣り人が、釣りをするたびに、ブロック状の撒き餌の表面部から適量を削り取り、これを円筒形の撒き餌かごに収容した状態で、水中に投げ入れて使用しなければならない。
【０００５】
したがって、釣り場の気温などの外的要因によっては、撒き餌の使い勝手が悪くなったり、撒き餌が腐敗して悪臭を放出したりする不具合が生じる。すなわち、釣り場の気温が低いと、撒き餌の表面部がなかなか溶けず、撒き餌を削り取る作業に多くの労力を要するため、撒き餌の使い勝手が悪くなる。逆に、釣り場の気温が高いと、撒き餌の表面部が大気に触れて短時間で腐敗し、激しい悪臭を放出してしまう。
【０００６】
本考案は、このような事情に鑑み、釣り場の外的要因の如何を問わず、使い勝手を改良するとともに、腐敗による悪臭の放出を抑制することが可能な撒き餌を提供することを第１の目的とする。また、このような撒き餌を容易に製造することが可能な撒き餌の製造器を提供することを第２の目的とする。
【課題を解決するための手段】
【０００７】
かかる目的を達成するため、請求項１に記載の考案は、集魚用の餌を冷凍し、撒き餌かごに収容して使用する撒き餌であって、所定の直径を有する球に近似する立体形状を呈している撒き餌としたことを特徴とする。
【０００８】
また、請求項２に記載の考案は、請求項１に記載の構成に加え、前記撒き餌かごは、円筒形のかご本体を有し、前記立体形状は、前記かご本体の開口部の直径にほぼ一致する直径を有する球であることを特徴とする。
【０００９】
また、請求項３に記載の考案は、請求項１または２に記載の構成に加え、前記立体形状は、直径２〜５ｃｍの球であることを特徴とする。
【００１０】
また、請求項４に記載の考案は、請求項１乃至３のいずれかに記載の構成に加え、前記餌は、オキアミまたはイワシミンチであることを特徴とする。
【００１１】
さらに、請求項５に記載の考案は、容器と、この容器の上側に着脱自在に嵌着される蓋とから構成され、前記容器は、餌を貯留可能な容器本体と、この容器本体から下向きに凹むように形成された半球形の下半球部とを備え、前記蓋は、蓋本体と、この蓋本体から上向きに凹むように形成された半球形の上半球部とを備え、前記容器本体に餌が貯留されて前記容器に前記蓋が嵌着されることにより、前記下半球部および前記上半球部によって包囲される球形の空間に前記餌が充填された状態で、当該餌が冷凍されて撒き餌が製造されるように構成されている撒き餌の製造器としたことを特徴とする。
【００１２】
また、請求項６に記載の考案は、請求項５に記載の構成に加え、前記上半球部の頂部近傍には、当該上半球部の内外を連通する通気孔が形成されていることを特徴とする。
【００１３】
また、請求項７に記載の考案は、請求項５または６に記載の構成に加え、前記容器の下部に嵌合部が設けられるとともに、前記蓋の上部に被嵌合部が設けられ、前記嵌合部が前記被嵌合部に嵌合することにより、前記蓋の上側に前記容器が水平に支持されるように構成されていることを特徴とする。
【考案の効果】
【００１４】
請求項１に記載の考案によれば、撒き餌が所定の直径を有する球に近似する立体形状を呈しているので、従来と異なり、釣りをするたびにブロック状の撒き餌の表面部から適量を削り取る作業が不要となる。その結果、釣り場の気温が低いときでも、撒き餌の使い勝手を改良することができる。
【００１５】
また、同じ体積で比べると、球の表面積はそれ以外の任意の立体の表面積より小さくなるので、撒き餌の表面積、つまり大気に触れる面積が最小になる。その結果、釣り場の気温が高いときでも、撒き餌の表面部が大気に触れて腐敗して悪臭を放出する事態の発生を抑制することが可能となる。
【００１６】
さらに、複数の撒き餌を並べて置いた場合、各撒き餌が球に近似する立体形状を呈しているので、撒き餌同士が常に点接触することになる。そのため、撒き餌同士が溶けてくっついても、両者を容易に分離することができる。したがって、複数の撒き餌を並べて置いた場合でも、撒き餌の使い勝手を改良することが可能となる。
【００１７】
請求項２に記載の考案によれば、撒き餌の立体形状が、撒き餌かごの円筒形のかご本体の開口部の直径にほぼ一致する直径を有する球であるため、撒き餌を撒き餌かごに効率よく収容することができる。
【００１８】
請求項３に記載の考案によれば、撒き餌の立体形状が直径２〜５ｃｍの球であるため、撒き餌が片手で握りやすい大きさおよび形状となる。その結果、撒き餌の使い勝手を一層改良することが可能となる。
【００１９】
請求項４に記載の考案によれば、餌がオキアミまたはイワシミンチであるため、オキアミまたはイワシミンチを原料とする撒き餌を得ることができる。
【００２０】
請求項５に記載の考案によれば、容器本体に餌を貯留して容器に蓋を嵌着することにより、下半球部および上半球部によって包囲される球形の空間に餌を充填した状態で、この餌を冷凍すれば、上述した撒き餌を容易に製造することができる。
【００２１】
請求項６に記載の考案によれば、上半球部の頂部近傍に、この上半球部の内外を連通する通気孔が形成されているので、容器本体に餌を貯留して容器に蓋を嵌着するときに、上半球部の内部の空気を通気孔から外部へ排気することにより、餌の充填作業を円滑に行うことができる。
【００２２】
請求項７に記載の考案によれば、容器の嵌合部が蓋の被嵌合部に嵌合することにより、蓋の上側に容器が水平に支持されるように構成されているので、複数の製造器を上下に積み重ねて使用することができる。その結果、冷凍装置の冷凍スペースが縦長であっても、その冷凍スペースを有効に活用して効率よく撒き餌を製造することが可能となる。
【図面の簡単な説明】
【００２３】
【図１】本考案の実施の形態１に係る撒き餌の外観図であって、（ａ）は１個の撒き餌の斜視図、（ｂ）は複数の撒き餌が並んだ状態を示す平面図である。
【図２】図１に示す撒き餌を収容する撒き餌かごの斜視図である。
【図３】同実施の形態１に係る撒き餌の製造器を示す斜視図であって、（ａ）は容器から蓋が分離した状態図、（ｂ）は容器に蓋が嵌着された状態図である。
【図４】図３に示す撒き餌の製造器の容器を示す図であって、（ａ）はその平面図、（ｂ）はその正面図、（ｃ）はその底面図、（ｄ）は（ａ）のＡ−Ａ断面図である。
【図５】図３に示す撒き餌の製造器の蓋を示す図であって、（ａ）はその平面図、（ｂ）はその正面図、（ｃ）はその底面図、（ｄ）は（ａ）のＢ−Ｂ断面図である。
【図６】図４に示す容器の下半球部と図５に示す蓋の上半球部とによって球形の空間が形成された状態を示す断面図である。
【考案を実施するための形態】
【００２４】
以下、本考案の実施の形態を図面に基づいて説明する。
［考案の実施の形態１］
【００２５】
図１乃至図６には、本考案の実施の形態１を示す。
【００２６】
実施の形態１に係る撒き餌１は、図１（ａ）に示すように、オキアミ、イワシミンチなどの集魚用の餌を冷凍したものであり、球形を呈している。この球形の撒き餌１の直径Ｄ１は２〜５ｃｍの範囲内になっている。
【００２７】
このように、撒き餌１は球形を呈しているので、従来と異なり、釣りをするたびにブロック状の撒き餌１の表面部から適量を削り取る作業が不要となる。その結果、釣り場の気温が低くて撒き餌１の表面部がなかなか溶けないときでも、撒き餌１の使い勝手を改良することができる。
【００２８】
また、同じ体積で比べると、球の表面積はそれ以外の任意の立体（直方体、立方体、円柱など）の表面積より小さくなるので、撒き餌１の表面積、つまり大気に触れる面積が最小になる。その結果、釣り場の気温が高いときでも、撒き餌１の表面部が大気に触れて腐敗して悪臭を放出する事態の発生を抑制することが可能となる。
【００２９】
さらに、図１（ｂ）に示すように、複数（図１（ｂ）では、７個）の撒き餌１をバケツなどの容器（図示せず）に並べて置いた場合でも、撒き餌１の使い勝手を改良することができる。すなわち、仮に撒き餌１がブロック状であれば、複数の撒き餌１を並べて置いた場合、撒き餌１同士が面接触する場合があるため、撒き餌１同士が溶けてくっつきやすい。これに対して、この実施の形態１に係る撒き餌１は、上述したとおり、球形を呈しているので、複数の撒き餌１を並べて置いても、図１（ｂ）に示すように、撒き餌１同士が常に点接触することになる。そのため、撒き餌１同士が溶けてくっついても、両者を容易に分離することができる。したがって、複数の撒き餌１を並べて置いた場合でも、撒き餌１の使い勝手を改良することが可能となる。
【００３０】
しかも、撒き餌１は、ブロック状の従来品と異なり、直径２〜５ｃｍの球形を呈しているので、撒き餌１が片手で握りやすい大きさおよび形状となる。その結果、撒き餌１の使い勝手を一層改良することが可能となる。
【００３１】
また、この撒き餌１を収容するための撒き餌かご２は、図２に示すように、円筒形格子状のかご本体２１を有しており、かご本体２１の上部には円形の開口部２１ａが形成されている。さらに、かご本体２１の下側には鉛製の重り２２が取り付けられている。そして、撒き餌１の直径Ｄ１は、かご本体２１の開口部２１ａの直径Ｄ２にほぼ一致している。そのため、撒き餌１を撒き餌かご２に効率よく収容することができる。
【００３２】
また、撒き餌の製造器３は、図３に示すように、ポリエチレン、ポリプロピレン、ポリカーボネート、ＡＢＳ樹脂などの耐冷性に優れた合成樹脂から成形されており、容器３１と、この容器３１の上側に着脱自在に嵌着される蓋３２とから構成されている。
【００３３】
この容器３１は、図４に示すように、餌を貯留可能な皿状の容器本体３１ａと、この容器本体３１ａから下向きに凹むように形成された１３個の半球形の下半球部３１ｂとを備えている。また、これらの下半球部３１ｂのうち容器本体３１ａの４隅に近い４個の下半球部３１ｂにはそれぞれ、図４（ｂ）、（ｃ）に示すように、その頂部近傍、つまり容器３１の下部に、円筒形の嵌合部３１ｃが下向きに突出するように形成されている。
【００３４】
一方、蓋３２は、図５に示すように、皿状の蓋本体３２ａと、この蓋本体３２ａから上向きに凹むように形成された１３個の半球形の上半球部３２ｂとを備えている。また、これらの上半球部３２ｂのうち蓋本体３２ａの４隅に近い４個の上半球部３２ｂにはそれぞれ、図５（ａ）に示すように、その頂部近傍、つまり蓋３２の上部に、円筒形の被嵌合部３２ｃが上向きに突出するように形成されている。
【００３５】
そして、容器３１の各嵌合部３１ｃが蓋３２の各被嵌合部３２ｃに嵌合することにより、蓋３２の上側に容器３１が水平に支持されるように構成されている。
【００３６】
また、蓋３２の各上半球部３２ｂの頂部近傍にはそれぞれ、図５（ａ）、（ｃ）に示すように、この上半球部３２ｂの内外を連通する円形の通気孔３２ｅが形成されている。
【００３７】
さらに、容器３１の容器本体３１ａの左右両側にはそれぞれ、図４に示すように、平板状の取っ手３１ｄが水平方向に延びるように形成されている。一方、蓋３２の蓋本体３２ａの左右両側にはそれぞれ、図５に示すように、平板状の取っ手３２ｄが水平方向に延びるように形成されている。そして、図３（ｂ）に示すように、容器３１に蓋３２が嵌着された状態では、容器３１の各取っ手３１ｄの斜め上方に蓋３２の各取っ手３２ｄが位置するように構成されている。
【００３８】
以下、この撒き餌の製造器３を用いて球形の撒き餌１を製造する方法について説明する。
【００３９】
まず、図３（ａ）に示すように、容器３１から蓋３２が分離した状態で、容器３１の容器本体３１ａ内に、オキアミ、イワシミンチなどの集魚用の餌を海水とともに貯留する。
【００４０】
次に、この容器３１の上側に蓋３２を載せ、この蓋３２を容器３１側へ下降させることにより、容器３１に蓋３２を嵌着する。すると、容器３１の下半球部３１ｂおよび蓋３２の上半球部３２ｂによって包囲される形で１３の球形の空間Ｓ１が形成され、これらの空間Ｓ１に餌が海水とともに誘導されて充填される。
【００４１】
このとき、蓋３２の各上半球部３２ｂの頂部近傍にはそれぞれ、上述したとおり、上半球部３２ｂの内外を連通する通気孔３２ｅが形成されているので、各上半球部３２ｂの内部の空気を通気孔３２ｅから外部へ排気することにより、餌の充填作業を円滑に行うことができる。
【００４２】
この状態で、この製造器３をフリーザーなどの冷凍装置（図示せず）に所定の時間（例えば、８時間）だけ保存して冷凍する。すると、１３の空間Ｓ１内の餌が冷凍され、１３個の球形の撒き餌１が出来上がる。
【００４３】
最後に、１３個の球形の撒き餌１を製造器３から取り出す。すなわち、容器３１の左右一対の取っ手３１ｄおよび蓋３２の左右一対の取っ手３２ｄを両手の親指および人差し指でひねるようにして容器３１と蓋３２とを上下方向に引き離すことにより、容器３１から蓋３２を取り外す。すると、１３個の撒き餌１が容器３１の下半球部３１ｂまたは蓋３２の上半球部３２ｂに固着した状態になるので、これらの撒き餌１を下半球部３１ｂまたは上半球部３２ｂから分離させる。
【００４４】
これにより、オキアミ、イワシミンチなどの集魚用の餌を原料とする球形の撒き餌１が得られ、ここで撒き餌１の製造が終了する。
【００４５】
このように、撒き餌の製造器３を用いれば、球形の撒き餌１を容易に製造することができる。
【００４６】
なお、以上は１個の製造器３を用いて撒き餌１を製造する方法であるが、この製造器３では、上述したとおり、容器３１の各嵌合部３１ｃが蓋３２の各被嵌合部３２ｃに嵌合することにより、蓋３２の上側に容器３１が水平に支持されるように構成されているので、複数（２個以上）の製造器３を上下に積み重ねて使用することができる。その結果、冷凍装置の冷凍スペースが縦長であっても、その冷凍スペースを有効に活用して効率よく撒き餌１を製造することが可能となる。
［考案のその他の実施の形態］
【００４７】
なお、上述の実施の形態１では、撒き餌１の立体形状が直径２〜５ｃｍの球であるため、撒き餌１の取扱いが容易になる場合について説明した。しかし、この球の直径は、撒き餌１の取扱い容易性をあまり重視しない場合には、２〜５ｃｍに限るわけではなく、２ｃｍ未満であってもよく、５ｃｍを超えても構わない。さらに、撒き餌１は、球に近似する立体形状を呈していてもよい。ここで、球に近似する立体形状とは、複数の撒き餌１を並べて置いた場合に撒き餌１同士が常に点接触するような三次元形状を意味し、完全な球（真球）の他に、回転楕円体（扁球であると長球であるとを問わない。）、紡錘形などが含まれる。この場合も、上述の実施の形態１と同じ作用効果を奏する。
【００４８】
また、上述の実施の形態１では、円筒形のかご本体２１を有する撒き餌かご２について説明した。しかし、かご本体２１の形状は、撒き餌１を収容できるものである限り、円筒形以外の形状（例えば、角筒形、紡錘形、円錐形その他）であっても構わない。
【００４９】
また、上述の実施の形態１では、撒き餌の製造器３が合成樹脂から成形されている場合について説明した。しかし、この撒き餌の製造器３の材料は、所定の耐冷性（例えば、耐冷温度が−３０℃以下であること）を有するものである限り、合成樹脂以外の材料（例えば、繊維強化プラスチック、グラスファイバー、セラミックス、金属その他）を代用することも可能である。
【００５０】
さらに、上述の実施の形態１では、容器３１が１３個の下半球部３１ｂを備えるとともに、蓋３２が１３個の上半球部３２ｂを備えた撒き餌の製造器３について説明した。しかし、下半球部３１ｂや上半球部３２ｂの個数は、１３個に限るわけではなく、何個でも構わない。
【産業上の利用可能性】
【００５１】
本考案は、海釣り等の釣りをする際に用いる撒き餌に広く適用することができる。
【符号の説明】
【００５２】
１……撒き餌
２……撒き餌かご
３……撒き餌の製造器
２１……かご本体
２１ａ……開口部
３１……容器
３１ａ……容器本体
３１ｂ……下半球部
３１ｃ……嵌合部
３２……蓋
３２ａ……蓋本体
３２ｂ……上半球部
３２ｃ……被嵌合部
３２ｅ……通気孔
Ｄ１……撒き餌の直径
Ｄ２……かご本体の開口部の直径
Ｓ１……空間
【図１】
0003177330.tif 000003
【図２】
0003177330.tif 000004
【図３】
0003177330.tif 000005
【図４】
0003177330.tif 000006
【図５】
0003177330.tif 000007
【図６】
0003177330.tif 000008